(57)【要約】【課題】外容器体と内容器体との間に確実に外気を導入することができる二重容器、注出具付き容器及び当該二重容器をブロー成形するためのプリフォームを提供する。【解決手段】外口部１１ａと外容器本体部１１ｂと係止突起１１ｃとを備えた外容器体１１と、内口部１２ａとフランジ部１２ｂと減容変形可能な内容器本体部１２ｃとを備えた内容器体１２と、外口部１１ａの内周面及び内口部１２ａの外周面の少なくとも何れか一方に設けられて外口部１１ａと内口部１２ａとの間に外気導入用隙間１５を保持するための突起部１２ｄと、外口部１１ａの外周面に設けられた外側溝部１６と、外口部１１ａの上端に設けられて外気導入用隙間１５を外側溝部１６に連ねる上側溝部１７と、を有する二重容器２、二重容器２と注出具３とを備える注出具付き容器１及び二重容器２のブロー成形に用いられるプリフォーム２０。【選択図】図１
2018203282.tif 000002
【特許請求の範囲】
【請求項１】
口部に注出具を装着して使用される合成樹脂製の二重容器であって、
前記口部の外殻を形成する筒状の外口部と、前記外口部の下端に連なる外容器本体部と、前記注出具の装着キャップを係止するために前記外口部の外周面に設けられた係止突起と、を備えた外容器体と、
前記外口部の内側に配置された筒状の内口部と、該内口部から径方向外側に向けて延びて前記外口部の上端に当接するフランジ部と、前記内口部の下端に連なり前記外容器本体部の内側に配置され前記外容器本体部から独立して減容変形可能な内容器本体部と、を備えた内容器体と、
前記外口部の内周面及び前記内口部の外周面の少なくとも何れか一方に何れか他方に向けて突出して設けられ、前記外口部と前記内口部との間に外気導入用隙間を保持するための突起部と、
前記外口部の外周面に設けられ、該外口部の上端から前記係止突起よりも下方側にまで延びる外側溝部と、
前記外口部の上端に設けられ、前記外気導入用隙間を前記外側溝部に連ねる上側溝部と、を有することを特徴とする二重容器。
【請求項２】
前記内口部の外周面に、周方向に等しい間隔を空けて３つの前記突起部が設けられている、請求項１に記載の二重容器。
【請求項３】
３つの前記突起部それぞれの前記内口部の外周面からの突出高さが全て等しい、請求項２に記載の二重容器。
【請求項４】
請求項１〜３の何れか１項に記載の前記二重容器と、
前記口部に装着された前記注出具と、を有することを特徴とする注出具付き容器。
【請求項５】
前記注出具が、ノズルを備え前記装着キャップに上下動自在に保持されたヘッド部と、該ヘッド部の押下げ操作により作動して前記内容器本体部の内部に収容された内容液を前記ノズルから注出させるポンプとを備える、請求項４に記載の注出具付き容器。
【請求項６】
前記注出具が、前記装着キャップに設けられ前記内容器本体部の内部に収容された内容液を外部に注出する注出口と、該注出口と前記内容器本体部との連通を開閉する内容液用逆止弁と、前記装着キャップの下端と前記外側溝部の下端よりも下方側における前記外口部の外周面との隙間を開閉する外気導入路用逆止弁とを備える、請求項４に記載の注出具付き容器。
【請求項７】
口部を備えた試験管状に形成されてブロー成形に用いられる合成樹脂製のプリフォームであって、
前記口部の外殻を形成する筒状の外口部と、前記外口部の下端に連なる外プリフォーム本体部と、注出具の装着キャップを係止するために前記外口部の外周面に設けられた係止突起と、を備えた外プリフォーム体と、
前記外口部の内側に配置された筒状の内口部と、該内口部から径方向外側に向けて延びて前記外口部の上端に当接するフランジ部と、前記内口部の下端に連なり前記外プリフォーム本体部の内側に配置された内プリフォーム本体部と、を備えた内プリフォーム体と、
前記外口部の内周面及び前記内口部の外周面の少なくとも何れか一方に何れか他方に向けて突出して設けられ、前記外口部と前記内口部との間に外気導入用隙間を保持するための突起部と、
前記外口部の外周面に設けられ、該外口部の上端から前記係止突起よりも下方側にまで延びる外側溝部と、
前記外口部の上端に設けられ、前記外気導入用隙間を前記外側溝部に連ねる上側溝部と、を有することを特徴とするプリフォーム。
【請求項８】
前記内口部の外周面に、周方向に等しい間隔を空けて３つの前記突起部が設けられている、請求項７に記載のプリフォーム。
【請求項９】
３つの前記突起部それぞれの前記内口部の外周面からの突出高さが全て等しい、請求項８に記載のプリフォーム。
【発明の詳細な説明】
【技術分野】
【０００１】
本発明は、口部に注出具を装着して使用される合成樹脂製の二重容器、これを用いた注出具付き容器及び口部を備えた試験管状に形成されてブロー成形に用いられる合成樹脂製のプリフォームに関する。
【背景技術】
【０００２】
従来から、化粧水などの化粧料、シャンプーやリンス、液体石鹸などのトイレタリー、あるいは醤油などの食品調味料や飲料などを内容液として収納する容器として、合成樹脂製の二重容器が知られている。例えば特許文献１には、容器の外殻を形成する外容器体と外容器体の内側に配置された減容変形自在の内容器体とを備えるとともに、外容器体の口部に外容器体と内容器体との間に外気を導入するための外気導入孔を設けた構成の二重容器が記載されている。
【０００３】
このような二重容器は、その口部に、例えばノズルを備えたヘッド部を押下げ操作することにより作動するポンプを備えたポンプヘッドや、注出口に逆止弁が設けられた注出キャップなどの注出具が装着されて注出具付き容器として使用されるのが一般的である。注出具が装着された二重容器によれば、注出具から内容液が注出されたときに、外容器体の口部に設けられた外気導入孔から外容器体と内容器体との間に外気を導入して内容器体のみを減容変形させることができるので、内容液を注出した後に内容器体の内部に外気が導入されることを抑制して、容器内に収容されている内容液の劣化や変質を抑制することができる。
【先行技術文献】
【特許文献】
【０００４】
【特許文献１】特開２０１５−１４５２４９号公報
【発明の概要】
【発明が解決しようとする課題】
【０００５】
しかしながら、従来の二重容器では、外容器体と内容器体との間に外気を導入するための外気導入孔を、例えばドリル孔加工によって口部の外容器体の部分のみに設けるようにしているので、その加工は難易度が高く、場合によっては外気導入孔が開口不良となって、二重容器としての機能が損なわれる虞があるという問題点があった。
【０００６】
本発明は、このような問題点を解決することを課題とするものであり、その目的は、外容器体と内容器体との間に確実に外気を導入することができる二重容器、注出具付き容器及び当該二重容器をブロー成形するためのプリフォームを提供することにある。
【課題を解決するための手段】
【０００７】
本発明の二重容器は、口部に注出具を装着して使用される合成樹脂製の二重容器であって、前記口部の外殻を形成する筒状の外口部と、前記外口部の下端に連なる外容器本体部と、前記注出具の装着キャップを係止するために前記外口部の外周面に設けられた係止突起と、を備えた外容器体と、前記外口部の内側に配置された筒状の内口部と、該内口部から径方向外側に向けて延びて前記外口部の上端に当接するフランジ部と、前記内口部の下端に連なり前記外容器本体部の内側に配置され前記外容器本体部から独立して減容変形可能な内容器本体部と、を備えた内容器体と、前記外口部の内周面及び前記内口部の外周面の少なくとも何れか一方に何れか他方に向けて突出して設けられ、前記外口部と前記内口部との間に外気導入用隙間を保持するための突起部と、前記外口部の外周面に設けられ、該外口部の上端から前記係止突起よりも下方側にまで延びる外側溝部と、前記外口部の上端に設けられ、前記外気導入用隙間を前記外側溝部に連ねる上側溝部と、を有することを特徴とする。
【０００８】
本発明の二重容器は、上記構成において、前記内口部の外周面に、周方向に等しい間隔を空けて３つの前記突起部が設けられているのが好ましい。
【０００９】
本発明の二重容器は、上記構成において、３つの前記突起部それぞれの前記内口部の外周面からの突出高さが全て等しいのが好ましい。
【００１０】
本発明の注出具付き容器は、前記二重容器と、前記口部に装着された前記注出具と、を有することを特徴とする。
【００１１】
本発明の注出具付き容器は、上記構成において、前記注出具が、ノズルを備え前記装着キャップに上下動自在に保持されたヘッド部と、該ヘッド部の押下げ操作により作動して前記内容器本体部の内部に収容された内容液を前記ノズルから注出させるポンプとを備えるのが好ましい。
【００１２】
本発明の注出具付き容器は、上記構成において、前記注出具が、前記装着キャップに設けられ前記内容器本体部の内部に収容された内容液を外部に注出する注出口と、該注出口と前記内容器本体部との連通を開閉する内容液用逆止弁と、前記装着キャップの下端と前記外側溝部の下端よりも下方側における前記外口部の外周面との隙間を開閉する外気導入路用逆止弁とを備えるのが好ましい。
【００１３】
本発明のプリフォームは、口部を備えた試験管状に形成されてブロー成形に用いられる合成樹脂製のプリフォームであって、前記口部の外殻を形成する筒状の外口部と、前記外口部の下端に連なる外プリフォーム本体部と、注出具の装着キャップを係止するために前記外口部の外周面に設けられた係止突起と、を備えた外プリフォーム体と、前記外口部の内側に配置された筒状の内口部と、該内口部から径方向外側に向けて延びて前記外口部の上端に当接するフランジ部と、前記内口部の下端に連なり前記外プリフォーム本体部の内側に配置された内プリフォーム本体部と、を備えた内プリフォーム体と、前記外口部の内周面及び前記内口部の外周面の少なくとも何れか一方に何れか他方に向けて突出して設けられ、前記外口部と前記内口部との間に外気導入用隙間を保持するための突起部と、前記外口部の外周面に設けられ、該外口部の上端から前記係止突起よりも下方側にまで延びる外側溝部と、前記外口部の上端に設けられ、前記外気導入用隙間を前記外側溝部に連ねる上側溝部と、を有することを特徴とする。
【００１４】
本発明のプリフォームは、上記構成において、前記内口部の外周面に、周方向に等しい間隔を空けて３つの前記突起部が設けられているのが好ましい。
【００１５】
本発明のプリフォームは、上記構成において、３つの前記突起部それぞれの前記内口部の外周面からの突出高さが全て等しいのが好ましい。
【発明の効果】
【００１６】
本発明によれば、外容器体と内容器体との間に確実に外気を導入することができる二重容器、注出具付き容器及び当該二重容器をブロー成形するためのプリフォームを提供することができる。
【図面の簡単な説明】
【００１７】
【図１】本発明の一実施の形態である注出具付き容器の半断面図である。
【図２】図１に示す注出具付き容器の要部を拡大して示す拡大断面図である。
【図３】外口部に設けられた外側溝部と上側溝部の詳細を示す説明図である。
【図４】本発明の一実施の形態であるプリフォームの半断面図である。
【図５】図４に示す外プリフォーム体の一部切欠き断面図である。
【図６】図４に示す内プリフォーム体の半断面図である。
【図７】図１に示す注出具付き容器の変形例を示す断面図である。
【発明を実施するための形態】
【００１８】
以下、図面を参照して、本発明をより具体的に例示説明する。
【００１９】
本明細書、特許請求の範囲、及び要約書において、「上方」とは図１に示す姿勢における上方を意味し、「下方」とは、その反対方向を意味するものとする。
【００２０】
図１〜図３に示す本発明の一実施の形態である注出具付き容器１は、例えば化粧水などの化粧料、シャンプーやリンス、液体石鹸などのトイレタリー、あるいは醤油などの食品調味料や飲料などを内容液として収納する用途に用いることができるものであり、合成樹脂製の二重容器２と注出具３とを有している。
【００２１】
本発明の一実施の形態である二重容器２は、外容器体１１と外容器体１１の内側に配置される内容器体１２とを備えた二重構造を有し、その外形形状は、口部１３と、口部１３の下方に連なる胴部１４とを有するボトル形状となっている。注出具３はポンプ式（ポンプヘッド）となっており、二重容器２は、その口部１３に注出具３を装着して使用されるようになっている。
【００２２】
外容器体１１は、二重容器２の外殻を形成する部分であり、口部１３の外殻を形成する円筒状の外口部１１ａと、外口部１１ａの下端に連なって胴部１４の外殻を形成する有底円筒状の外容器本体部１１ｂとを有している。
【００２３】
なお、外口部１１ａは円筒状に限らず、筒状であれば、例えば楕円形状や角筒状とすることもできる。また、胴部１４の形状も、内容液を収容可能な形状であれば、種々変更可能である。
【００２４】
本実施の形態においては、外容器体１１は、ポリエチレンテレフタレート（ＰＥＴ）を主材とした合成樹脂材料により形成されており、外口部１１ａは硬質に構成され、外容器本体部１１ｂは内容液が注出されても容易に変形しない程度の剛性を有するように構成されている。
【００２５】
外口部１１ａの外周面には、注出具３の装着キャップ３ａを係止するための係止突起１１ｃが外口部１１ａと一体に設けられている。本実施の形態においては、係止突起１１ｃは雄ねじとして構成されており、注出具３は、装着キャップ３ａを、その内周面に設けられた雌ねじ３ｂにおいて雄ねじ（係止突起１１ｃ）にねじ結合させることで、口部１３に装着されるようになっている。
【００２６】
なお、係止突起１１ｃを外口部１１ａの周方向に沿って延びるリブ形状に構成し、装着キャップ３ａの内周面に設けられた被係止突起を打栓により係止突起１１ｃにアンダーカット係合させることで装着キャップ３ａを口部１３に装着する構成とすることもできる。
【００２７】
内容器体１２は、外口部１１ａの内側に配置された円筒状の内口部１２ａを有している。内口部１２ａは外口部１１ａと同様に硬質に構成されている。内口部１２ａの外径寸法は外口部１１ａの内径寸法よりも小さくなっており、これにより、内口部１２ａの外周面と外口部１１ａの内周面との間には、口部１３の上端から下端に達するとともに略円筒状の空間となる外気導入用隙間１５が設けられている。なお、外気導入用隙間１５は、口部１３の上端から下端に向けて延びていれば、口部１３の下端に達していなくてもよい。
【００２８】
なお、内口部１２ａは円筒状に限らず、外口部１１ａが楕円形状や角筒状に形成された場合には、これに対応して楕円形状や角筒状に形成することができる。また、例えば、外口部１１ａを円筒状とするとともに内口部１２ａを多角筒状とし、当該多角筒状の内口部１２ａの角部を後述する突起部１２ｄとしてもよく、あるいは外口部１１ａを多角筒状とするとともに内口部１２ａを円筒状とし、内口部１２ａの外周面に当接する多角筒状の外口部１１ａの各辺部分を後述する突起部１２ｄとしてもよい。
【００２９】
内容器体１２は、内口部１２ａの上端に一体に連なるとともに当該上端から径方向外側に向けて延びる円環状のフランジ部１２ｂを有している。フランジ部１２ｂは、その下面において外口部１１ａの上端に当接し、内口部１２ａを外口部１１ａに対して軸方向に位置決めしている。なお、フランジ部１２ｂは、周方向の全周に亘る円環状に限らず、周方向に向けて間欠状に形成することもできる。
【００３０】
内口部１２ａの下端には内容器本体部１２ｃが一体に連ねて設けられている。内容器本体部１２ｃは内口部１２ａから充填される内容液を収容する部分であり、内口部１２ａよりも薄肉の袋状に形成され、外容器本体部１１ｂの内側に配置されて外容器本体部１１ｂの内部で減容変形自在となっている。本実施の形態においては、内容器本体部１２ｃは外容器本体部１１ｂから独立して減容変形可能に積層されている。なお、内容器本体部１２ｃと外容器本体部１１ｂとは、非接着状態で積層されていてもよく、剥離可能な擬似接着状態で積層されていてもよい。なお、内容器本体部１２ｃを外容器本体部１１ｂから独立して減容変形可能に構成することができれば、外容器体１１と内容器体１２とを、同じ材質で構成しても、異なる材質で構成してもよい。
【００３１】
内口部１２ａの外周面には、３つの突起部１２ｄが周方向に等しい間隔を空けて並べて設けられている。これらの突起部１２ｄは、それぞれ周方向に所定の長さを有するリブ形状に構成されるとともに外口部１１ａの内周面に向けて径方向外側に突出しており、その径方向外側端において外口部１１ａの内周面に当接している。また、それぞれの突起部１２ｄの内口部１２ａの外周面からの突出高さは全て等しくなっている。なお、突起部１２ｄは、所定の長さを有するリブ形状に限らず、例えば半球状など、その形状は種々変更可能である。また、３つの突起部１２ｄを、その軸方向の高さを互いに相違させて設けるようにしてもよい。
【００３２】
このような構成の３つの突起部１２ｄを有することにより、内口部１２ａを、外口部１１ａの内側に外口部１１ａと同軸となるように確実に位置決めさせて、外口部１１ａと内口部１２ａとの間に外気導入用隙間１５を保持する（生じさせる）ことができる。また、外口部１１ａと内口部１２ａとを同軸に位置決めすることができるので、外気導入用隙間１５を、その径方向幅が周方向で一様となる円筒状空間に構成することができる。さらに、内口部１２ａを外口部１１ａの内側に確実に固定して、内口部１２ａのガタつきを防止することもできる。
【００３３】
なお、本実施の形態においては、内口部１２ａの外周面に突起部１２ｄを設けるようにしているが、これに限らず、外口部１１ａの内周面に突起部を設けるようにしてもよく、あるいは内口部１２ａの外周面と外口部１１ａの内周面の両方に突起部を設けるようにしてもよい。
【００３４】
また、本実施の形態においては、内口部１２ａの外周面に、周方向に延びるリブ形状の突起部１２ｄを、周方向に等しい間隔を空けて３つ設けるようにしているが、これに限らず、口部１３の上端と下端との間で外気導入用隙間１５を分断させることなく外口部１１ａの内周面と内口部１２ａの外周面との間に外気導入用隙間１５を保持することができるものであれば、突起部１２ｄの個数ないし形状は種々変更可能である。この場合、複数の突起部１２ｄを、その全ての高さを互いに相違させ、あるいは一部の高さを相違させて設けるようにしてもよい。
【００３５】
本実施の形態においては、内容器体１２は、ポリプロピレン（ＰＰ）を主材とした合成樹脂材料により構成されている。
【００３６】
外口部１１ａの外周面には、外口部１１ａの上端から係止突起１１ｃよりも下方側にまで延びる外側溝部１６が設けられている。本実施の形態では、外口部１１ａの外周面には、係止突起１１ｃよりも下方側に環状の凸リブ１１ｄが一体に設けられ、外側溝部１６は凸リブ１１ｄよりも下方側にまで延びている。外側溝部１６が設けられている部分においては、雄ねじに形成されている係止突起１１ｃ及び凸リブ１１ｄは周方向に分断されて間欠状となっている。本実施の形態では、外側溝部１６は矩形断面の溝状に形成され、口部１３の軸方向と平行に真っ直ぐに延びるとともに、その溝幅及び溝の深さは、その上端と下端との間で一定である。なお、上記のように、凸リブ１１ｄが外側溝部１６により周方向に分断されている場合には、凸リブ１１ｄを装着キャップ３ａの内面に当接させて、装着キャップ３ａを凸リブ１１ｄによって安定的に支持させるようにしてもよい。
【００３７】
なお、外側溝部１６は、その溝幅や溝の深さが、上端と下端との間で徐々に変化するものであってもよく、部分的に溝幅や溝の深さが変化するものであってもよい。
【００３８】
外口部１１ａの上端には上側溝部１７が設けられている。上側溝部１７は、矩形断面の溝状に形成され、口部１３の径方向に沿って真っ直ぐに延びるとともに、その溝幅及び溝の深さは、外側溝部１６の溝幅及び溝の深さと同一となっている。また、上側溝部１７は、その径方向外側端において外側溝部１６に連なるとともに、径方向内側端において外気導入用隙間１５に連なることで、外気導入用隙間１５を外側溝部１６に連ねている。
【００３９】
なお、上側溝部１７の溝幅及び溝の深さは、外側溝部１６の溝幅及び溝の深さと異なるものとすることもできる。また、上側溝部１７は、その溝幅や溝の深さが、径方向外側端と径方向内側端との間で徐々に変化するものであってもよく、部分的に溝幅や溝の深さが変化するものであってもよい。
【００４０】
このように、外口部１１ａには、外側溝部１６及び上側溝部１７によって、外口部１１ａの外周面の係止突起１１ｃよりも下方側の部分から外口部１１ａの上端を経て外口部１１ａの内側にある外気導入用隙間１５にまで達する外気導入用の流路が形成されている。
【００４１】
注出具３は、有頂筒状に形成された装着キャップ３ａに上下動自在に保持されたヘッド部３ｃを有している。ヘッド部３ｃは内容液の吐出口となるノズル３ｄを備えている。また、装着キャップ３ａにはポンプ３ｅが保持されている。ポンプ３ｅは、ピストン３ｆとシリンダ３ｇとを有し、ヘッド部３ｃを押下げ操作することにより作動して、内容器本体部１２ｃの内部に収容された内容液を、吸引パイプ３ｈを通してノズル３ｄに圧送し、ノズル３ｄから外部に注出させることができる。ヘッド部３ｃの押下げ操作が解除されると、バネ部材３ｉの弾性力によりヘッド部３ｃは上方に押し上げられ、元の位置に自動的に復帰する。
【００４２】
なお、符号１８は、ヘッド部３ｃと装着キャップ３ａとの間に着脱自在に装着されて、不使用時にヘッド部３ｃが押下げ操作されることを阻止するための阻止部材である。阻止部材１８は使用時には取り外される。
【００４３】
このような構成の注出具３は、装着キャップ３ａを外口部１１ａにねじ結合させることで口部１３に装着される。口部１３に注出具３が装着されると、口部１３の開口が装着キャップ３ａにより閉塞されるとともに、口部１３の外周面が装着キャップ３ａにより覆われる。このとき、二重容器２の外口部１１ａに設けられた外側溝部１６は、雄ねじとして形成されている係止突起１１ｃ及び凸リブ１１ｄを周方向に分断して口部１３の上端から下端に向けて延設されているので、装着キャップ３ａと外口部１１ａの外周面との間には、この外側溝部１６によって口部１３の根元部分から上端に向けた外気導入用の流路が構成されている。外側溝部１６の下端は装着キャップ３ａの外側と連通されている。
【００４４】
なお、上記したポンプ付きの注出具３は、ヘッド部３ｃの押下げ操作によりポンプ３ｅを作動させてノズル３ｄから内容液を注出させることができるものであれば、その構成は種々変更可能である。
【００４５】
以上の構成を有する注出具付き容器１では、阻止部材１８を取り外した後、起立姿勢の状態でヘッド部３ｃを押下げ操作することにより、内容器体１２の内容器本体部１２ｃに収容されている内容液を所定量ずつノズル３ｄから外部に注出させることができる。
【００４６】
内容器本体部１２ｃに収容されている内容液が外部に注出されると、外口部１１ａの外周面に形成され、注出具付き容器１の外部に開放されている外側溝部１６と、外口部１１ａの上端に形成された上側溝部１７とを介して、外口部１１ａと内口部１２ａとの間に設けられた外気導入用隙間１５に外気が導入されるので、外容器本体部１１ｂと内容器本体部１２ｃとの間に外気が導入されるようにして、外容器本体部１１ｂの形状はそのままに、内容液が減少した分だけ内容器本体部１２ｃを、内容積を減少させるように容易に減容変形させることできる。
【００４７】
このように、本実施の形態の注出具付き容器１ないし二重容器２では、外口部１１ａと内口部１２ａとの間に外気導入用隙間１５を設け、外口部１１ａの外周面に外側溝部１６を設けるとともに、外口部１１ａの上端に外気導入用隙間１５と外側溝部１６とを連ねる上側溝部１７を設けることで、口部１３に装着キャップ３ａが装着された状態において、外側溝部１６、上側溝部１７及び外気導入用隙間１５を介して外容器本体部１１ｂと内容器本体部１２ｃとの間に外気が導入されるようにしたので、外容器体１１と内容器体１２との間に外気を導入するための外気導入孔をドリル孔加工等によって口部１３に設ける必要がない。このため、外容器本体部１１ｂと内容器本体部１２ｃとの間に外気を導入する流路を精度よく形成することができるので、注出具付き容器１ないし二重容器２を、内容液の注出時に外容器本体部１１ｂと内容器本体部１２ｃとの間に外気を確実に導入可能な構成とすることができる。
【００４８】
図４は、本発明の一実施の形態であるプリフォームの半断面図である。また、図５は、図４に示す外プリフォーム体の半断面図であり、図６は、図４に示す内プリフォーム体の半断面図である。
【００４９】
上記の注出具付き容器１に用いられる二重容器２は、図４に示す構成を有する本発明の一実施の形態である合成樹脂製のプリフォーム２０をブロー成形することによって形成することができる。
【００５０】
プリフォーム２０は、口部１３を備えた試験管状に形成されており、ブロー成形によって二重容器２に成形される。なお、プリフォーム２０の口部１３は、ブロー成形によっては変形されない部分であるので、二重容器２の口部１３と同一の形状となっている。すなわち、プリフォーム２０は、その口部１３を構成する部分、すなわち、二重容器２の外口部１１ａ、係止突起１１ｃ、凸リブ１１ｄ、内口部１２ａ、フランジ部１２ｂ、突起部１２ｄ、外気導入用隙間１５、外側溝部１６及び上側溝部１７の構成をそのまま有している。図４〜図６においては、二重容器２の上記部材に対応する部材には同一の符号を付してある。
【００５１】
プリフォーム２０は、外プリフォーム体２１と内プリフォーム体２２とを備えた二重構造を有している。
【００５２】
外プリフォーム体２１は、口部１３の外殻を形成する円筒状の外口部１１ａと、外口部１１ａの下端に連なる有底円筒状の外プリフォーム本体部２１ｂとを有している。また、外口部１１ａの外周面には、係止突起１１ｃが外口部１１ａと一体に設けられている。
【００５３】
本実施の形態においては、外プリフォーム体２１は、ポリエチレンテレフタレート（ＰＥＴ）を主材とした合成樹脂材料により構成されている。
【００５４】
内プリフォーム体２２は、外口部１１ａの内側に配置された円筒状の内口部１２ａを有し、内口部１２ａの外周面と外口部１１ａの内周面との間には、口部１３の上端から下端に達するとともに略円筒状の空間となる外気導入用隙間１５が設けられている。
【００５５】
内口部１２ａの上端には径方向外側に延びる円環状のフランジ部１２ｂが一体に連なっている。このフランジ部１２ｂは、その下面において外口部１１ａの上端に当接し、内口部１２ａを外口部１１ａに対して軸方向に位置決めしている。なお、フランジ部１２ｂは、周方向の全周に亘る円環状に限らず、周方向に向けて間欠状に形成することもできる。
【００５６】
内口部１２ａの下端には内プリフォーム本体部２２ｃが一体に連ねて設けられている。内プリフォーム本体部２２ｃは内口部１２ａと略同一の外径寸法を有する有底筒状に形成されており、外プリフォーム本体部２１ｂの内側に配置されている。
【００５７】
外プリフォーム本体部２１ｂの側面部分における内周面と内プリフォーム本体部２２ｃの側面部分における外周面との間には、外気導入用隙間１５と同程度の隙間が設けられている。また、外プリフォーム本体部２１ｂの底部分における内周面と内プリフォーム本体部２２ｃの底部分における外周面との間には、外気導入用隙間１５よりも広い隙間が設けられている。これらの隙間を設けることにより、外プリフォーム体２１に対する内プリフォーム体２２の組立て性を高めることができる。なお、外プリフォーム本体部２１ｂの側面部分における内周面と内プリフォーム本体部２２ｃの側面部分における外周面との間、及び、外プリフォーム本体部２１ｂの底部分における内周面と内プリフォーム本体部２２ｃの底部分における外周面との間には、隙間を設けない構成とすることもできる。
【００５８】
内口部１２ａの外周面には、３つの突起部１２ｄが周方向に等しい間隔を空けて並べて設けられている。これらの突起部１２ｄは、それぞれ周方向に所定の長さを有するリブ形状に形成されるとともに外口部１１ａの内周面に向けて突出しており、その径方向外側端において外口部１１ａの内周面に当接している。ここで、それぞれの突起部１２ｄの内口部１２ａの外周面からの突出高さは全て等しくなっている。これにより、内プリフォーム体２２は外プリフォーム体２１と同軸となるように保持され、内プリフォーム体２２と外プリフォーム体２１との間には周方向に一様の間隔の隙間が設けられている。
【００５９】
本実施の形態においては、内プリフォーム体２２は、ポリプロピレン（ＰＰ）を主材とした合成樹脂材料により構成されている。
【００６０】
外口部１１ａの外周面には、外口部１１ａの上端から係止突起１１ｃよりも下方側にまで延びる外側溝部１６が設けられている。本実施の形態では、外口部１１ａの外周面には、係止突起１１ｃよりも下方に環状の凸リブ１１ｄが一体に設けられ、外側溝部１６は凸リブ１１ｄよりも下方側にまで延びている。
【００６１】
また、外口部１１ａの上端には上側溝部１７が設けられている。上側溝部１７は、その径方向外側端において外側溝部１６に連なるとともに、径方向内側端において外気導入用隙間１５に連なって、外気導入用隙間１５を外側溝部１６に連ねている。
【００６２】
このように、プリフォーム２０においても、外口部１１ａには、外側溝部１６及び上側溝部１７によって、外口部１１ａの外周面の係止突起１１ｃよりも下方側の部分から外口部１１ａの上端を経て外口部１１ａの内側にある外気導入用隙間１５にまで達する外気導入用の流路が形成されている。
【００６３】
上記構成のプリフォーム２０は、一般的に予め延伸可能な温度に加熱された外プリフォーム本体部２１ｂ及び内プリフォーム本体部２２ｃを金型内に配置し、その口部１３から内プリフォーム体２２の内部に加圧媒体（加圧エアーや加圧液体）を充填してブロー成形されるため、口部１３の形状は変化することなく（延伸されることなく）、外プリフォーム本体部２１ｂ及び内プリフォーム本体部２２ｃのみが加圧媒体の圧力によりブロー成形用の金型に沿った形状に延伸されてブロー成形される。このとき、外プリフォーム本体部２１ｂ及び内プリフォーム本体部２２ｃが所定の延伸率で引き延ばされることで、外プリフォーム本体部２１ｂは外容器本体部１１ｂに構成され、内プリフォーム本体部２２ｃは減容変形自在の袋状に形成されて外容器本体部１１ｂの内面に配置される内容器本体部１２ｃに構成される。
【００６４】
このように、個別に形成された外プリフォーム体２１と内プリフォーム体２２を組み合わせて構成されたプリフォーム２０をブロー成形するだけの簡単な工程で、外容器本体部１１ｂと内容器本体部１２ｃとの間に外気を導入可能な流路を備えた二重容器２を形成することができる。
【００６５】
本発明は前記実施の形態に限定されるものではなく、その要旨を逸脱しない範囲で種々変更可能であることはいうまでもない。
【００６６】
例えば、前記実施の形態においては、外容器体１１ないし外プリフォーム体２１をポリエチレンテレフタレート製とし、内容器体１２ないし内プリフォーム体２２をポリプロピレン製としたが、これに限らず、内容器本体部１２ｃを外容器本体部１１ｂの内側において減容変形自在となるように構成することができれば、これらを構成する合成樹脂材料の種類は種々変更可能である。
【００６７】
さらに、前記実施の形態においては、注出具３としてポンプ式のものを用いるようにしているが、外容器体１１の外容器本体部１１ｂを、スクイズ（押圧）可能であるとともにスクイズの解除による復元性を有する構成とすることもできる。この場合には、例えば注出具３として、図７に変形例として示すように、装着キャップ３ａに設けられて内容器本体部１２ｃの内部に収容された内容液を外部に注出する注出口（不図示）と、注出口に設けられた内容液用逆止弁（不図示）と、装着キャップ３ａの下端内周縁部分に装着されて、装着キャップ３ａの下端と外側溝部１６の下端よりも下方側における外口部１１ａの外周面との隙間を開閉する外気導入路用逆止弁３０とを備えた注出キャップとして構成されたものを用いることもできる。この場合、外容器本体部１１ｂをスクイズして注出口から内容液を注出する際には、外気導入路用逆止弁３０により装着キャップ３ａの下端と外側溝部１６の下端よりも下方側における外口部１１ａの外周面との隙間が閉塞されて外容器本体部１１ｂと内容器本体部１２ｃとの間の空気が外部に排出されることを防止し、当該スクイズにより内容液を容易に注出させることができる。一方、スクイズが解除されて外容器本体部１１ｂが元の形状に復元するときには、外気導入路用逆止弁３０が開いて装着キャップ３ａの下端と外側溝部１６の下端よりも下方側における外口部１１ａの外周面との隙間、外側溝部１６、上側溝部１７及び外気導入用隙間１５を通して外容器本体部１１ｂと内容器本体部１２ｃとの間に外気を導入することができるので、内容器本体部１２ｃを確実に減容変形させて外容器本体部１１ｂの変形ないし内容器本体部１２ｃの内部への外気の導入を抑制することができる。
【符号の説明】
【００６８】
１    注出具付き容器
２    二重容器
３    注出具
３ａ  装着キャップ
３ｂ  雌ねじ
３ｃ  ヘッド部
３ｄ  ノズル
３ｅ  ポンプ
３ｆ  ピストン
３ｇ  シリンダ
３ｈ  吸引パイプ
３ｉ  バネ部材
１１    外容器体
１１ａ  外口部
１１ｂ  外容器本体部
１１ｃ  係止突起
１１ｄ  凸リブ
１２    内容器体
１２ａ  内口部
１２ｂ  フランジ部
１２ｃ  内容器本体部
１２ｄ  突起部
１３    口部
１４    胴部
１５    外気導入用隙間
１６    外側溝部
１７    上側溝部
１８    阻止部材
２０    プリフォーム
２１    外プリフォーム体
２１ｂ  外プリフォーム本体部
２２    内プリフォーム体
２２ｃ  内プリフォーム本体部
３０    外気導入路用逆止弁
【図１】
2018203282.tif 000003
【図２】
2018203282.tif 000004
【図３】
2018203282.tif 000005
【図４】
2018203282.tif 000006
【図５】
2018203282.tif 000007
【図６】
2018203282.tif 000008
【図７】
2018203282.tif 000009